(57)【要約】【課題】本発明の課題は、熱交換器で加熱された空気を適切に吸着部材の水分放出領域に導くことができる調湿ユニットを提供することにある。【解決手段】空気調和機１０の調湿ユニット１００では、空気流路が流路形成壁７４で囲まれることによって、加熱用熱交換器７２を通って加熱された高温空気が加湿ロータ５０の水分放出エリア５０ｂに導かれるので、高温空気が確実に当該水分放出エリア５０ｂを通過する。また、流路形成壁７４の第１傾斜面７４１、第２傾斜面７４２、第１湾曲面７４３及び第２湾曲面７４４が空気流路の流路断面積を狭めながら高温空気を案内するので、極端な流路絞りがなく通風抵抗の増加が抑制される。【選択図】図６
2018179360.tif 000002
【特許請求の範囲】
【請求項１】
回転可能に保持され、空気中の水分を吸着する水分吸着エリア（５０ａ）と、加熱されることによって水分を放出する水分放出エリア（５０ｂ）とを有する、吸着部材（５０）と、
前記水分放出エリア（５０ｂ）を加熱するための高温空気を生成する熱交換器（７２）と、
を備え、
前記吸着部材（５０）の回転軸と直交する仮想平面に対する前記熱交換器（７２）の投影面積は、前記仮想平面に対する前記水分放出エリア（５０ｂ）の投影面積よりも大きく、
前記熱交換器（７２）から前記水分放出エリア（５０ｂ）へ前記高温空気を導く空気流路を囲う隔壁（７４）は、前記熱交換器（７２）から前記水分放出エリア（５０ｂ）に向かって前記空気流路の流路断面積を狭めながら延びる傾斜面（７４ａ）を有する、
調湿ユニット（１００）。
【請求項２】
前記熱交換器（７２）の前記投影面積をＳｈ、前記水分放出エリア（５０ｂ）の前記投影面積をＳｒ、前記吸着部材（５０）の直径をＤ、前記熱交換器（７２）と前記吸着部材（５０）との最短距離をｈとしたとき、
０．４≦Ｄ×（Ｓｒ／Ｓｈ）３／ｈ≦２．０
の関係が成立する、
請求項１に記載の調湿ユニット（１００）。
【請求項３】
前記熱交換器（７２）の前記投影面積の５０％以上が、前記水分放出エリア（５０ｂ）の投影空間よりも径方向外側にはみ出る、
請求項１又は請求項２に記載の調湿ユニット（１００）。
【請求項４】
前記熱交換器（７２）は、前記水分放出エリア（５０ｂ）の投影空間を径方向外側に１．２倍拡大した仮想投影空間よりも外側にはみ出る、
請求項１又は請求項２に記載の調湿ユニット（１００）。
【請求項５】
前記熱交換器（７２）の前記投影面積は、前記水分放出エリア（５０ｂ）の前記投影面積の２倍以上である、
請求項１又は請求項２に記載の調湿ユニット（１００）。
【請求項６】
前記隔壁（７４）は、前記空気流路の流路断面積を徐々に縮小する、
請求項１から請求項５のいずれか１項に記載の調湿ユニット（１００）。
【請求項７】
前記隔壁（７４）は、樹脂製である、
請求項１から請求項６のいずれか１項に記載の調湿ユニット（１００）。
【請求項８】
請求項１から請求項７のいずれか１項に記載の調湿ユニットを備える、
空気調和機。
【発明の詳細な説明】
【技術分野】
【０００１】
本発明は、空気調和機に用いられる調湿ユニットに関する。
【背景技術】
【０００２】
近年、無給水加湿機能を備えた空気調和機が広く普及するようになった。例えば、特許文献１（特開２０１３−２２８１８２号公報）に開示されている加湿ユニットでは、デシカントロータ（吸着部材）に空気中の水分を吸着させ、デシカントロータの水分を吸着した部分を加熱用熱交換器で加熱された空気に晒すことによって前記吸着した水分を放出させている。
【発明の概要】
【発明が解決しようとする課題】
【０００３】
通常、吸着部材の水分放出領域は加熱用熱交換器よりも小さいため、加熱された空気の一部が吸着部材の水分放出領域を通過せずに、加湿空気の搬送経路に迂回する虞がある。しかしながら、この点について、上記引用文献１には何ら言及されていない。
【０００４】
本発明の課題は、熱交換器で加熱された空気を適切に吸着部材の水分放出領域に導くことができる調湿ユニットを提供することにある。
【課題を解決するための手段】
【０００５】
本発明の第１観点に係る調湿ユニットは、吸着部材と熱交換器とを備えている。吸着部材は、回転可能に保持され、水分吸着エリアと水分放出エリアとを有する。水分吸着エリアは、空気中の水分を吸着する。水分放出エリアは、加熱されることによって水分を放出する。熱交換器は、水分放出エリアを加熱するための高温空気を生成する。吸着部材の回転軸と直交する仮想平面に対する熱交換器の投影面積は、該仮想平面に対する水分放出エリアの投影面積よりも大きい。また、熱交換器から水分放出エリアへ高温空気を導く空気流路を囲う隔壁は、熱交換器から水分放出エリアに向かって空気流路の流路断面積を狭めながら延びる傾斜面を有している。
【０００６】
この調湿ユニットでは、空気流路が隔壁で囲まれることによって、熱交換器を通って加熱された高温空気が吸着部材の水分放出エリアに導かれるので、高温空気が確実に当該水分放出エリアを通過する。
【０００７】
本発明の第２観点に係る調湿ユニットは、第１観点に係る調湿ユニットであって、熱交換器の投影面積をＳｈ、水分放出エリアの投影面積をＳｒ、吸着部材の直径をＤ、熱交換器と吸着部材との最短距離をｈとしたとき、０．４≦Ｄ×（Ｓｒ／Ｓｈ）３／ｈ≦２．０の関係が成立する。
【０００８】
この調湿ユニットでは、上記関係式を満たす熱交換器と吸着部材との最短距離（ｈ）が設定されることによって、熱交換器で生成された高温空気を温度低下を抑えて到達させることができる。
【０００９】
本発明の第３観点に係る調湿ユニットは、第１観点又は第２観点に係る調湿ユニットであって、熱交換器の投影面積の５０％以上が、水分放出エリアの投影空間よりも径方向外側にはみ出る。
【００１０】
この調湿ユニットでは、加熱源としての熱量を確保するため、熱交換器は水分放出エリアの投影空間よりはみ出る大きさになるが、はみ出し範囲を熱交換器の投影面積にして５０％以上に設定しても、第１観点で説明した隔壁によって高温空気を確実に案内することができる。
【００１１】
本発明の第４観点に係る調湿ユニットは、第１観点又は第２観点に係る調湿ユニットであって、熱交換器が、水分放出エリアの投影空間を径方向外側に１．２倍拡大した仮想投影空間よりも外側にはみ出る。
【００１２】
この調湿ユニットでは、加熱源としての熱量を確保するため、熱交換器は水分放出エリアの投影空間よりはみ出る大きさになるが、はみ出し範囲を水分放出エリアの投影空間を径方向外側に１．２倍拡大した仮想投影空間よりも外側に設定しても、第１観点で説明した隔壁によって高温空気を確実に案内することができる。
【００１３】
本発明の第５観点に係る調湿ユニットは、第１観点又は第２観点に係る調湿ユニットであって、熱交換器の投影面積が水分放出エリアの投影面積の２倍以上である。
【００１４】
この調湿ユニットでは、加熱源としての熱量を確保するため、熱交換器の投影面積は、水分放出エリアの投影面積よりも大きくなるが、熱交換器の投影面積を水分放出エリアの投影面積の２倍以上に設定しても、第１観点で説明した隔壁によって高温空気を確実に案内することができる。
【００１５】
本発明の第６観点に係る調湿ユニットは、第１観点から第５観点のいずれか１つに係る調湿ユニットであって、隔壁が空気流路の流路断面積を徐々に縮小する。
【００１６】
この調湿ユニットでは、隔壁が空気流路の流路断面積を徐々に狭めながら高温空気を案内するので、極端な流路絞りがなく通風抵抗の増加が抑制される。
【００１７】
本発明の第７観点に係る調湿ユニットは、第１観点から第６観点のいずれか１つに係る調湿ユニットであって、隔壁が樹脂製である。
【００１８】
この調湿ユニットでは、隔壁が、［入口と出口との距離が短く、入口面積に比べて出口面積が小さく、さらに非対称な台形筒］を成すため、成形性に富む樹脂で製作させるのが望ましい。
【００１９】
本発明の第８観点に係る空気調和機は、請求項１から請求項７のいずれか１項に記載の調湿ユニットを備えている。
【発明の効果】
【００２０】
本発明の第１観点に係る調湿ユニットでは、空気流路が隔壁で囲まれることによって、熱交換器を通って加熱された高温空気が吸着部材の水分放出エリアに導かれるので、高温空気が確実に当該水分放出エリアを通過する。また、隔壁の傾斜面が空気流路の流路断面積を狭めながら高温空気を案内するので、極端な流路絞りがなく通風抵抗の増加が抑制される。
【００２１】
本発明の第２観点に係る調湿ユニットでは、上記関係式を満たす熱交換器と吸着部材との最短距離（ｈ）が設定されることによって、熱交換器で生成された高温空気を温度低下を抑えて到達させることができる。
【００２２】
本発明の第３観点に係る調湿ユニットでは、加熱源としての熱量を確保するため、熱交換器は水分放出エリアの投影空間よりはみ出る大きさになるが、はみ出し範囲を熱交換器の投影面積にして５０％以上に設定しても、第１観点で説明した隔壁によって高温空気を確実に案内することができる。
【００２３】
本発明の第４観点に係る調湿ユニットでは、加熱源としての熱量を確保するため、熱交換器は水分放出エリアの投影空間よりはみ出る大きさになるが、はみ出し範囲を水分放出エリアの投影空間を径方向外側に１．２倍拡大した仮想投影空間よりも外側に設定しても、第１観点で説明した隔壁によって高温空気を確実に案内することができる。
【００２４】
本発明の第５観点に係る調湿ユニットでは、加熱源としての熱量を確保するため、熱交換器の投影面積は、水分放出エリアの投影面積よりも大きくなるが、熱交換器の投影面積を水分放出エリアの投影面積の２倍以上に設定しても、第１観点で説明した隔壁によって高温空気を確実に案内することができる。
【００２５】
本発明の第６観点に係る調湿ユニットでは、隔壁が空気流路の流路断面積を徐々に狭めながら高温空気を案内するので、極端な流路絞りがなく通風抵抗の増加が抑制される。
【００２６】
本発明の第７観点に係る調湿ユニットでは、隔壁が、［入口と出口との距離が短く、入口面積に比べて出口面積が小さく、さらに非対称な台形筒］を成すため、成形性に富む樹脂で製作させるのが望ましい。
【００２７】
本発明の第８観点に係る空気調和機では、調湿ユニットの空気流路が隔壁で囲まれることによって、熱交換器を通って加熱された高温空気が吸着部材の水分放出エリアに導かれるので、高温空気が確実に当該水分放出エリアを通過する。また、隔壁の傾斜面が空気流路の流路断面積を狭めながら高温空気を案内するので、極端な流路絞りがなく通風抵抗の増加が抑制される。
【図面の簡単な説明】
【００２８】
【図１Ａ】本発明の一実施形態に係る調湿ユニットを搭載する空気調和機の冷媒回路の概略図。
【図１Ｂ】図１Ａに記載の調湿ユニットの概念図。
【図２】本実施形態に係る調湿ユニットを一方向から視たときの当該調湿ユニットの斜視図。
【図３】本実施形態に係る調湿ユニットを他の方向から視たときの当該調湿ユニットの斜視図。
【図４】本実施形態に係る調湿ユニットの縦断面図。
【図５】ロータ加熱部の斜視図。
【図６】ロータ加熱部の分解斜視図。
【図７】加湿ロータの詳細斜視図。
【図８】加湿ロータの回転軸と直交する仮想平面に対する加熱用熱交換器の投影面と、当該仮想平面に対する水分放出エリアの投影面とを重ねた平面図。
【発明を実施するための形態】
【００２９】
以下、図面を参照しながら、本発明の一実施形態に係る空気調和装置について説明する。なお、以下の実施形態は、本発明の具体例であって、本発明の技術的範囲を限定するものではない。
【００３０】
（１）空気調和機１０の構成
図１Ａは、本発明の一実施形態に係る調湿ユニットを搭載する空気調和機１０の冷媒回路４０の概略図である。図１Ａにおいて、空気調和機１０は、１台の室外ユニット３０と、１台の室内ユニット２０とが冷媒配管によって並列に接続されているペア型の空気調和機である。
【００３１】
この空気調和機１０は、冷房運転、除湿運転及び暖房運転の他に、室内を加湿する加湿運転を行うことができる。なお、本実施形態の空気調和機１０は、ペア型の空気調和機であるが、これに限定されず、１台の室外ユニット３０に複数台の室内ユニット２０が接続されたマルチ型の空気調和装置であってもよい。
【００３２】
図１Ａに示すように、空気調和機１０では、圧縮機３１と、四方切換弁３２と、調湿ユニット１００の加熱用熱交換器７２と、室内熱交換器２１と、電動膨張弁３４と、室外熱交換器３３と、が順に接続されることによって、冷媒回路４０が形成されている。
【００３３】
（１−１）室内ユニット２０
室内ユニット２０は、室内の壁面等に設置される壁掛け型の室内ユニットである。また、室内ユニット２０は、室内熱交換器２１及び室内ファン２２を内部に収納している。
【００３４】
また、室内ユニット２０内には、空気搬送ダクト１５の一方の端部が配置されている。この空気搬送ダクト１５の一方の端部は、例えば、室内ファン２２が回転し空気流が生成されている状態において、室内ユニット２０の空気取込口から見て空気流の下流側であり、かつ、室内熱交換器２１から見て空気流の上流側の空間に配置されている。
【００３５】
（１−１−１）室内熱交換器２１
室内熱交換器２１は、長手方向両端で複数回折り返されてなる伝熱管と、伝熱管が挿通される複数のフィンとから構成されている。
【００３６】
室内熱交換器２１は、室内空気を熱源として冷媒と熱交換を行うためのものであり、室内ファン２２が室内熱交換器２１表面を通過する空気流を生成することで、室内空気と室内熱交換器２１を流れる冷媒との間で熱交換させることができる。
【００３７】
室内熱交換器２１は、暖房運転時には、放熱器（凝縮器）として機能し、冷房運転時には蒸発器として機能する。
【００３８】
（１−１−２）室内ファン２２
室内ファン２２は、室内の空気を室内ユニット２０内に吸い込ませるとともに、室内熱交換器２１との間で熱交換を行った後の空気を室内に吹き出させるファンである。なお、本実施形態における室内ファン２２は、回転駆動することによって、回転軸と交わる方向に空気流れを生成するクロスフローファンである。
【００３９】
（１−２）室外ユニット３０
室外ユニット３０は、屋外に設置されている。室外ユニット３０は、圧縮機３１、四方切換弁３２、室外熱交換器３３、電動膨張弁３４、アキュムレータ３５、及び室外ファン３６を内部に収納している。
【００４０】
（１−２−１）圧縮機３１
圧縮機３１は、回転数が可変なインバータ式の圧縮機であって、吸入したガス冷媒を圧縮するためのものである。
【００４１】
（１−２−２）四方切換弁
四方切換弁３２は、冷媒回路４０を流れる冷媒の流路を変更する切換機構を構成している。四方切換弁３２は、圧縮機３１の吐出部と調湿ユニット１００の加熱用熱交換器７２とを接続し、かつ、室外熱交換器３３と圧縮機３１の吸入部とを接続する第１状態（図１Ａの実線参照）と、圧縮機３１の吐出部と室外熱交換器３３とを接続し、かつ、調湿ユニット１００の加熱用熱交換器７２と圧縮機３１の吸入部とを接続する第２状態（図１Ａの破線参照）とに切り換わることで、冷媒回路４０における冷媒の循環方向が可逆に構成されている。
【００４２】
（１−２−３）室外熱交換器３３
室外熱交換器３３は、長手方向両端で複数回折り返されてなる伝熱管と、伝熱管が挿通される複数のフィンとから構成されている。
【００４３】
室外熱交換器３３は、室外空気を熱源として冷媒と熱交換を行うためのものであり、室外ファン３６が室外熱交換器３３表面を通過する空気流を生成することで、室外空気と室外熱交換器３３を流れる冷媒との間で熱交換させることができる。
【００４４】
室外熱交換器３３は、暖房運転時には蒸発器として機能し、冷房運転時には放熱器（凝縮器）として機能する。
【００４５】
（１−２−４）電動膨張弁３４
電動膨張弁３４は、室内熱交換器２１と室外熱交換器３３との間の冷媒圧力の調整や冷媒流量の調整等を行うための弁である。
【００４６】
（１−２−５）アキュムレータ３５
アキュムレータ３５は、液冷媒とガス冷媒とを分離するためのものであり、冷媒回路４０において、圧縮機３１の吸入部と四方切換弁３２とを接続する冷媒配管に設けられる。
【００４７】
（１−２−６）室外ファン３６
室外ファン３６は、室外空気を室外ユニット３０内に取り込み、室外熱交換器３３において冷媒と熱交換させた後に、室外ユニット３０外に排出するファンである。なお、本実施形態における室外ファン３６は、ファンモータによって駆動されるプロペラファンである。
【００４８】
（１−３）調湿ユニット１００
図１Ｂは、図１Ａに記載の調湿ユニット１００の概念図である。図１Ｂにおいて、調湿ユニット１００は、加湿ロータ５０と、吸着用ファン５５と、加湿用ファン５４と、加熱用熱交換器７２とを搭載している。また、調湿ユニット１００と室内ユニット２０との間には、調湿ユニット１００の内部空間と室内ユニット２０の内部空間とを連通させることが可能な空気搬送ダクト１５が設けられている。
【００４９】
調湿ユニット１００では、加湿ロータ５０が吸着用流路７０を流れる室外空気から水分を吸着した後、加熱用熱交換器７２で加熱された室外空気が流れる加湿用流路７１において当該水分を放出する。高温の空気に放出された水分は加湿空気となって、空気搬送ダクト１５へ送られ、最終的に室内に到達する。
【００５０】
つまり、調湿ユニット１００は、室外空気を加湿して、空気搬送ダクト１５を介して室内へと供給することができる。
【００５１】
（２）調湿ユニット１００の詳細構成
図２は、本実施形態に係る調湿ユニット１００を一方向から視たときの当該調湿ユニット１００の斜視図である。また、図３は、本実施形態に係る調湿ユニット１００を他の方向から視たときの当該調湿ユニット１００の斜視図である。さらに、図４は、本実施形態に係る調湿ユニット１００の縦断面図である。
【００５２】
（２−１）ケーシング１０１
図１Ｂ、図２、図３及び図４において、ケーシング１０１は、加湿ロータ５０、加熱用熱交換器７２、加湿用ファン５４、流路切換装置５３および吸着用ファン５５を収納している。ここで、ケーシング１０１では、調湿ユニット１００が壁に沿って据付ける際の当該壁と対向する側の面を背面とし、その背面と対向する面を前面とする。また、前面と背面とに挟まれた面のうちの最も鉛直上方に位置する面を天面、最も鉛直下方にある面を底面とする。
【００５３】
（２−２）吸着用流路７０
ケーシング１０１内には、吸着用空気取込口１０１ａから吸着用空気吹出口１０１ｂに至るまでの空気の経路として、吸着用流路７０が形成されている。吸着用流路７０は、複数の部材が関係しており、図１Ｂ及び図２〜図４に示すように、矢印Ａで表示される空気流を形成する。
【００５４】
吸着用空気取込口１０１ａは、ケーシング１０１の前面に設けられている。吸着用空気取込口１０１ａは矩形状の開口であり、加湿ロータ５０へ水分を吸着させるための室外空気がその吸着用空気取込口１０１ａから取り込まれる。
【００５５】
吸着用空気吹出口１０１ｂは、ケーシング１０１の底面に設けられている。吸着用空気吹出口１０１ｂは、矩形状の開口であり、加湿ロータ５０によって水分が吸着された後の空気が、その吸着用空気吹出口１０１ｂからケーシング１０１の外へ排出される。
【００５６】
（２−２−１）吸着用ファン５５
吸着用流路７０における室外空気の取込と排出は、吸着用ファン５５によって行われる。図４に示すように、吸着用ファン５５は、羽根車５５ａがファンモータ５５ｂによって回転駆動され、加湿ロータ５０のうちの水分吸着部分となる領域を通過する空気流を生成する。
【００５７】
（２−３）加湿用流路７１
また、ケーシング１０１内には、吸着用流路７０とは別に、加湿用空気取込口１０１ｄを入口とする加湿用流路７１が形成されている。加湿用流路７１は、複数の部材が関係しており、図１Ｂ及び図２〜図４に示すように、矢印Ｂで表示される空気流を生成する。ここでは、加湿用流路７１の一部であるロータ加熱部７３（図４参照）、加湿用ファン５４及び流路切換装置５３について説明する。
【００５８】
（２−３−１）ロータ加熱部７３
図５は、ロータ加熱部７３の斜視図である。また、図６はロータ加熱部７３の分解斜視図である。図５及び図６において、ロータ加熱部７３は、加湿用流路７１の一部を構成する、加熱用熱交換器７２から加湿ロータ５０までの経路である。
【００５９】
ロータ加熱部７３は、加湿ロータ５０、加熱用熱交換器７２、流路形成壁７４、及びロータ支持枠７５で構成されており、その機能は空気を加熱し高温空気を生成することである。
【００６０】
加熱用熱交換器７２の表面を通過する空気は、冷媒との熱交換によって加熱され高温空気となり、流路形成壁７４に案内されてロータ支持枠７５の扇形開口へ導かれる。扇形開口を通過した高温空気は加湿ロータ５０を通過する際に、加湿ロータ５０を加熱するので、加湿ロータ５０から水分が放出される。
【００６１】
それゆえ、加湿運転時、加湿用空気取込口１０１ｄから取り込まれた室外空気は、加湿用流路７１を流れる途中で加湿され、加湿用流路７１の終端を成す接続部７１５（図４参照）に取り付けられた空気搬送ダクト１５を通って、室内へと供給される。
【００６２】
以下、加湿ロータ５０、加熱用熱交換器７２、流路形成壁７４、ロータ支持枠７５について詳細を説明する。
【００６３】
（２−３−１−１）加湿ロータ５０
図７は、加湿ロータ５０の詳細斜視図である。図７において、加湿ロータ５０は、ハニカム構造のセラミックロータであり、略円板状の外形を有している。また、加湿ロータ５０は、外周にギア５０１が設けられており、ピニオンギア６５ａと噛み合うことによって回転力が伝達される。
【００６４】
さらに、加湿ロータ５０は、中心に軸孔５０５を有しており、軸孔５０５によって回転可能に支持され、ロータ駆動用モータ６５によって回転する上記ピニオンギア６５ａの回転力を受けて回転駆動される。
【００６５】
加湿ロータ５０の吸着機能を有する部分は、ゼオライト等の吸着剤から焼成されている。ゼオライト等の吸着剤は、接触する空気中の水分を吸着するとともに、吸着した水分を加熱されることによって放出するという性質を有している。
【００６６】
なお、本実施形態では、吸着剤としてゼオライトを用いているが、シリカゲルやアルミナ等を吸着剤として用いることも可能である。
【００６７】
（２−３−１−２）加熱用熱交換器７２
図５及び図６に示すように、加熱用熱交換器７２は、複数の伝熱管７２１を伝熱フィン７２２の厚み方向に貫通させることによって構成されるフィン・アンド・チューブ式の熱交換器である。
【００６８】
加熱用熱交換器７２は、加湿用流路７１において、加湿ロータ５０の上流側に位置しており、加湿ロータ５０に対向して配置されている。加熱用熱交換器７２は、室外空気と熱源としての冷媒との間で熱交換を行わせるためのものであり、加湿ロータ５０から水分を放出させるために加湿ロータ５０へ送られる室外空気を加熱し、高温空気を生成する。
【００６９】
また、図１Ａに示すように、加熱用熱交換器７２は、冷媒回路４０において、室内熱交換器２１、室外熱交換器３３及び電動膨張弁３４等と直列に接続されており、暖房時には、圧縮機３１、加熱用熱交換器７２、室内熱交換器２１、電動膨張弁３４、室外熱交換器３３の順に冷媒が流れるように構成されている。
【００７０】
図８は、加湿ロータ５０の回転軸と直交する仮想平面に対する加熱用熱交換器７２の投影面と、当該仮想平面に対する水分放出エリア５０ｂの投影面とを重ねた平面図である。
【００７１】
図８において、加熱用熱交換器７２の投影面の面積（以下、投影面積Ｓｈという。）は、水分放出エリア５０ｂの投影面の面積（以下、投影面積Ｓｒという）よりも大きい。面積比で言えば、Ｓｈ／Ｓｒ≧２となる。
【００７２】
位置関係で言えば、加熱用熱交換器７２の投影面積Ｓｈの５０％以上が、水分放出エリア５０ｂの投影空間よりも径方向外側にはみ出ており、さらに具体的には、加熱用熱交換器７２は水分放出エリア５０ｂの投影空間を径方向外側に１．２倍拡大した仮想投影空間（図８の二点鎖線で描いた扇形）よりも外側にはみ出ている。
【００７３】
また、加熱用熱交換器７２と加湿ロータ５０との間には、２０〜３０ｍｍの隙間ｈが設けられている（図４参照）。隙間ｈは、加熱用熱交換器７２と加湿ロータ５０との最短距離である。
【００７４】
隙間ｈがこの範囲よりも小さくなると、加熱用熱交換器７２を通過した空気の通風抵抗が極端に増大する。逆に、隙間ｈがこの範囲よりも大きくなると、加熱用熱交換器７２を通過して加熱された空気が温度低下する。
【００７５】
隙間ｈは、加熱用熱交換器７２及び加湿ロータ５０のサイズに影響されるので、本実施形態では、目安として、
０．４≦Ｄ×（Ｓｒ／Ｓｈ）３／ｈ≦２．０
の関係が成立するように隙間ｈが設定されている。なお、Ｄは加湿ロータ５０の直径である。
【００７６】
（２−３−１−３）流路形成壁７４
隙間ｈの周囲は、加湿用流路７１の一部を構成する流路形成壁７４で覆われている。上記の通り、加熱用熱交換器７２の投影面積Ｓｈが水分放出エリア５０ｂの投影面積Ｓｒの２倍以上あり、且つ、加熱用熱交換器７２と加湿ロータ５０との隙間ｈは２０〜３０ｍｍの程度に短いので、加熱用熱交換器７２を通過して生成された高温空気が漏れなく水分放出エリア５０ｂへ導く必要があり、流路形成壁７４は空気流路の流路断面積を徐々に縮小して、通風抵抗を抑えた構造に仕上げられている。
【００７７】
流路形成壁７４では、第１傾斜面７４１、第２傾斜面７４２、第１湾曲面７４３及び第２湾曲面７４４によって筒状の壁面７４ａが形成されている。
【００７８】
入口７４０ａの長方形の下側長辺の一端をＡ１、中点をＭ、他端をＡ２、入口７４０ａの長方形の上側長辺の一端をＡ３、中点をＮ、他端をＡ４、出口７４０ｂの扇形の中心角中心をＣ、扇形の円弧の一端をＢ１、中点をＯ、他端をＢ２としたとき、第１傾斜面７４１は、Ａ１、Ｍ、Ｃ及びＢ１で囲まれた傾斜面である。同様に、第２傾斜面７４２は、Ａ２、Ｍ、Ｃ及びＢ２で囲まれた傾斜面である。
【００７９】
また、第１湾曲面７４３は、Ａ１、Ａ４、Ｎ、Ｏ、Ｂ１で囲まれた湾曲面である。同様に、第２湾曲面７４４は、Ａ２、Ａ３、Ｎ、Ｏ、Ｂ２で囲まれた湾曲面である。
【００８０】
流路形成壁７４は、第１傾斜面７４１、第２傾斜面７４２、第１湾曲面７４３及び第２湾曲面７４４によって、長方形の入口７４０ａから扇形の出口７４０ｂに向かって流路断面積を徐々に小さくしていくので、高温空気がロータ支持枠７５の扇形開口へ効率よく導かれる。
【００８１】
なお、本実施形態における流路形成壁７４は入口７４０ａと出口７４０ｂとの距離が短く、入口面積に比べて出口面積が小さく、さらに非対称な台形筒を成すため、成形性に富む樹脂で成形されている。
【００８２】
（２−３−１−４）ロータ支持枠７５
ロータ支持枠７５は、２つの機能を有している。第１の機能は、加湿ロータ５０を回転可能に支持することである。第２の機能は、加湿ロータ５０を水分吸着エリア５０ａと水分放出エリア５０ｂとに分けることである。
【００８３】
図６に示すように、ロータ支持枠７５は、中空の円筒枠７５１、仕切り７５２及び支持軸７５５を含んでいる。円筒枠７５１の内径寸法は、加湿ロータ５０の外径寸法よりも少し大き目に設定されている。
【００８４】
仕切り７５２は、円筒枠７５１の開口端を２つの扇形開口に仕切る。中心角が大きい（約２４０°）の第１扇形開口７５ａは、吸着用空気取込口１０１ａから取り込まれた室外空気を通過させるための開口となる。
【００８５】
中心角が小さい（約１２０°）の第２扇形開口７５ｂは、加熱用熱交換器７２で加熱されて高温空気となった室外空気を通過させるための開口となる。
【００８６】
したがって、加湿ロータ５０のうちの上記第１扇形開口７５ａと対峙する領域は、室外空気に含まれる水分を吸着するので、この領域が水分吸着エリア５０ａとなる。一方、加湿ロータ５０のうちの上記第２扇形開口７５ｂと対峙する領域は、高温空気によって温度上昇して水分を放出するので、この領域が水分放出エリア５０ｂとなる。
【００８７】
支持軸７５５は、円筒枠７５１の中心に位置し、加湿ロータ５０の中心に設けられた軸孔５０５と嵌合する。
【００８８】
（２−３−２）加湿用ファン５４
図１Ｂ、図２、図３及び図４において、加湿用ファン５４は遠心ファン組立体（本実施形態では、ターボファン）であり、加湿ロータ５０の上方に配置される。加湿用ファン５４は、加湿用空気取込口１０１ｄから室外空気を加湿用流路７１に流入させ、加湿ロータ５０を通過させた後、流路切換装置５３及び空気搬送ダクト１５を介して室内ユニット２０へと流れる空気流（矢印Ｂ）を生成する。
【００８９】
（２−３−３）流路切換装置５３
流路切換装置５３は、加湿用ファン５４と空気搬送ダクト１５との間に配置され、加湿用ファン５４と空気搬送ダクト１５との接続状態を供給状態及び供給停止状態のいずれかに切り換えることができる。ここで、供給状態とは、加湿用流路７１と空気搬送ダクト１５とを接続した状態である。また、供給停止状態とは、加湿用流路７１と空気搬送ダクト１５との接続を解除した状態のことをいう。
【００９０】
供給状態では、加湿用流路７１から空気搬送ダクト１５への空気の流れ、或いは、空気搬送ダクト１５から加湿用流路７１への空気の流れを許容する。つまり、給気状態では、加湿用空気取込口１０１ｄから取り込まれた室外空気を室内ユニット２０へ供給させたり（図１Ｂの矢印Ｂ参照）、室内ユニット２０の室内空気を室外へと排気させたりすることが可能である（図１Ｂの矢印Ｃ参照）。
【００９１】
一方で、供給停止状態では、加湿用流路７１から空気搬送ダクト１５への空気の流れ、或いは、空気搬送ダクト１５から加湿用流路７１への空気の流れが遮断される。
【００９２】
（３）加湿運転時の動作
ここでは、加湿運転時における冷媒の流れ及び空気の流れについて説明する。加湿運転は暖房運転と同時に行われるため、加湿運転時における冷媒の流れ、及び加湿運転時における空気の流れについて説明する。
【００９３】
（３−１）加湿運転時における冷媒の流れ
加湿運転時には、圧縮機３１から吐出された高圧ガス冷媒は、四方切換弁３２を介して、加熱用熱交換器７２に流入する。加熱用熱交換器７２に流入した高圧液冷媒は、加熱用熱交換器７２において室外空気と熱交換を行った後に室内熱交換器２１に至る。
【００９４】
室内熱交換器２１に入った高圧ガス冷媒は、室内熱交換器２１で室内ファン２２により送風される室内空気、及び、空気搬送ダクト１５から吹き出される空気との間で熱交換を行い、高圧ガス冷媒が凝縮するとともに、空気を加熱し、室内の暖房を行う。室内熱交換器２１を出た冷媒は、電動膨張弁３４に至る。
【００９５】
電動膨張弁３４に至った液冷媒は、電動膨張弁３４で減圧された後に、室外熱交換器３３に流入する。室外熱交換器３３では、流入した液冷媒が、室外空気と熱交換を行うことで蒸発する。そして、蒸発したガス冷媒は、四方切換弁３２を介し、アキュムレータ３５を経て、圧縮機３１に吸入される。
【００９６】
このように、冷媒回路４０内を冷媒が循環することで、室内熱交換器２１において室内を暖房することができ、加熱用熱交換器７２において加湿用空気取込口１０１ｄから取り込まれた室外空気を加熱することができる。
【００９７】
（３−２）加湿運転時における空気の流れ
図１Ｂ、図２〜図４及び図７において、加湿運転時には、吸着用ファン５５が駆動されて、吸着用流路７０を通る空気流（矢印Ａ）が生じる。同時に、加湿用ファン５４が駆動されて、加湿用流路７１を通る空気流（矢印Ｂ）が生じる。
【００９８】
以下、説明の便宜上、室外空気のうち、吸着用空気取込口１０１ａから調湿ユニット１００内に取り込まれる室外空気を吸着用空気といい、加湿用空気取込口１０１ｄから調湿ユニット１００内に取り込まれる室外空気を加湿用空気という。
【００９９】
吸着用空気取込口１０１ａから取り込まれた吸着用空気は、吸着用流路７０を流れることにより、加湿ロータ５０のうちの水分吸着エリア５０ａを通過する。水分吸着エリア５０ａを通過した吸着用空気は、吸着用ファン５５によって調湿ユニット１００から吹き出される。
【０１００】
一方、加湿用空気取込口１０１ｄから取り込まれた加湿用空気は、加熱用熱交換器７２へ向かう。加湿用空気は加熱用熱交換器７２を通過する際に加熱されて高温空気となり、加湿ロータ５０のうちの水分放出エリア５０ｂを通過する。水分放出エリア５０ｂを通過した加湿用空気は、加湿空気となって流路切換装置５３に至り、加湿用ファン５４によって空気搬送ダクト１５へ排出され室内ユニット２０へと搬送される。
【０１０１】
加湿ロータ５０が最も高温になる領域は加湿ロータ５０の水分放出エリア５０ｂであり、水分放出エリア５０ｂから水分が放出されるので、加湿される前の加湿用空気がその放出された水分を含む空気ことによって加湿空気が生成される。
【０１０２】
なお、加湿運転時には、加湿ロータ５０は回転しているので、加湿ロータ５０において水分吸着エリア５０ａと水分放出エリア５０ｂとは、順に入れ替わることになる。
【０１０３】
（４）特徴
（４−１）
空気調和機１０の調湿ユニット１００では、空気流路が流路形成壁７４で囲まれることによって、加熱用熱交換器７２を通って加熱された高温空気が加湿ロータ５０の水分放出エリア５０ｂに導かれるので、高温空気が確実に当該水分放出エリア５０ｂを通過する。
【０１０４】
また、流路形成壁７４の第１傾斜面７４１、第２傾斜面７４２、第１湾曲面７４３及び第２湾曲面７４４が空気流路の流路断面積を狭めながら高温空気を案内するので、極端な流路絞りがなく通風抵抗の増加が抑制される。
【０１０５】
（４−２）
調湿ユニット１００では、［０．４≦Ｄ×（Ｓｒ／Ｓｈ）３／ｈ≦２．０］を満たす加熱用熱交換器７２と加湿ロータ５０との隙間ｈが設定されることによって、加熱用熱交換器７２で生成された高温空気を、温度低下を抑えて到達させることができる。
【０１０６】
（４−３）
調湿ユニット１００では、加熱源としての熱量を確保するため、加熱用熱交換器７２は水分放出エリア５０ｂの投影空間よりはみ出る大きさになるが、はみ出し範囲を加熱用熱交換器７２の投影面積Ｓｈにして５０％以上に設定しても、流路形成壁７４によって高温空気を確実に案内することができる。
【０１０７】
（４−４）
調湿ユニット１００では、加熱源としての熱量を確保するため、加熱用熱交換器７２は水分放出エリア５０ｂの投影空間よりはみ出る大きさになるが、はみ出し範囲を水分放出エリア５０ｂの投影空間を径方向外側に１．２倍拡大した仮想投影空間よりも外側に設定しても、流路形成壁７４によって高温空気を確実に案内することができる。
【０１０８】
（４−５）
調湿ユニット１００では、加熱源としての熱量を確保するため、加熱用熱交換器７２の投影面積Ｓｈは、水分放出エリア５０ｂの投影面積Ｓｒよりも大きくなるが、加熱用熱交換器７２の投影面積Ｓｈを水分放出エリア５０ｂの投影面積Ｓｒの２倍以上に設定しても、流路形成壁７４によって高温空気を確実に案内することができる。
【０１０９】
（４−６）
調湿ユニット１００では、流路形成壁７４が空気流路の流路断面積を徐々に狭めながら高温空気を案内するので、極端な流路絞りがなく通風抵抗の増加が抑制される。
【０１１０】
（４−７）
調湿ユニット１００では、流路形成壁７４が、［入口と出口との距離が短く、入口面積に比べて出口面積が小さく、さらに非対称な台形筒］を成すため、成形性に富む樹脂で製作されている。
【産業上の利用可能性】
【０１１１】
本発明に係る調湿ユニット１００は室外ユニット３０とは分離された独立したものであるが、室外ユニット３０との一体型としても有用である。
【符号の説明】
【０１１２】
１０          空気調和機
５０          加湿ロータ（吸着部材）
５０ａ        水分吸着エリア
５０ｂ        水分放出エリア
７２          加熱用熱交換器
７４          流路形成壁７４（隔壁）
７４ａ        壁面７４ａ（傾斜面）
７４１        第１傾斜面７４１
７４２        第２傾斜面７４２
１００        調湿ユニット
【先行技術文献】
【特許文献】
【０１１３】
【特許文献１】特開２０１３−２２８１８２号公報
【図１Ａ】
2018179360.tif 000003
【図１Ｂ】
2018179360.tif 000004
【図２】
2018179360.tif 000005
【図３】
2018179360.tif 000006
【図４】
2018179360.tif 000007
【図５】
2018179360.tif 000008
【図６】
2018179360.tif 000009
【図７】
2018179360.tif 000010
【図８】
2018179360.tif 000011